(57)【要約】【課題】内視鏡を挿入する際に粘膜を巻き込むことの無いオーバーチューブを提供する。【解決手段】内視鏡２が内側に挿入されて内視鏡２の挿入を補助する。挿入された内視鏡２の外周面との間に所定の間隔３を存する外筒管４と、外筒管４と内視鏡２との間に挿入される内筒管５とを備える。内筒管５は、外筒管４と内視鏡２との間に挿入されたときに、先端部が外筒管３の先端部から突出する。内筒管５は軟質樹脂からなる。外筒管４は弓なりに湾曲した形状を備える。内筒管５の内視鏡２が挿入される側の端部に、脱気防止弁７を着脱自在に備える。脱気防止弁７は、内筒管５の端部に装着される円筒状の装着部材８と、円錐状の弁体９とを備え、弁体９は軟質樹脂からなり、中央部に内視鏡２が嵌挿される孔部１０を備える。装着部材８は外側面に環状突起８ｂを備え、外筒管４は端部の内側面に、環状突起８ｂが係合される環状溝部４ｂを備える。【選択図】  図１
0003129543.tif 000002
【実用新案登録請求の範囲】
【請求項１】
内視鏡に外挿されて該内視鏡の挿入を補助するオーバーチューブにおいて、該内視鏡の外周面との間に所定の間隔を存して外挿される外筒管と、該外筒管と該内視鏡との間に挿入される内筒管とを備えることを特徴とするオーバーチューブ。
【請求項２】
請求項１記載のオーバーチューブにおいて、前記内筒管は、前記外筒管と前記内視鏡との間に挿入されたときに、先端部が前記外筒管の先端部から突出することを特徴とするオーバーチューブ。
【請求項３】
請求項１または請求項２記載のオーバーチューブにおいて、前記内筒管は軟質樹脂からなることを特徴とするオーバーチューブ。
【請求項４】
請求項１乃至請求項３のいずれか１項記載のオーバーチューブにおいて、前記外筒管は弓なりに湾曲していることを特徴とするオーバーチューブ。
【請求項５】
請求項１乃至請求項４のいずれか１項記載のオーバーチューブにおいて、前記外筒管の前記内視鏡が挿入される側の端部に、脱気防止弁を着脱自在に備えることを特徴とするオーバーチューブ。
【請求項６】
請求項５記載のオーバーチューブにおいて、前記脱気防止弁は、前記外筒管の前記内視鏡が挿入される側の端部に装着される円筒状の装着部材と、該装着部材の内側面を横断して取着された円錐状の弁体とを備え、該弁体は軟質樹脂からなり、中央部に該内視鏡が嵌挿される孔部を備えることを特徴とするオーバーチューブ。
【請求項７】
請求項６記載のオーバーチューブにおいて、前記装着部材は外側面に環状突起を備え、前記外筒管は、前記内視鏡が挿入される側の端部の内側面に、該環状突起が係合される環状溝部を備えることを特徴とするオーバーチューブ。
【考案の詳細な説明】
【技術分野】
【０００１】
本考案は、消化器内視鏡等の内視鏡を被験者の体内に挿入する際に、該内視鏡に外挿されて、該内視鏡の挿入を補助するオーバーチューブに関するものである。
【背景技術】
【０００２】
従来、例えば図３に示すように、内視鏡２の外周面との間に所定の間隔３を存して外挿されるオーバーチューブ１１が知られている（例えば特許文献１参照）。オーバーチューブ１１は、胃、小腸、十二指腸等の消化器に用いられる内視鏡２を、例えば、被験者の口部に装着されたマウスピースを介して、食道から消化器に挿入する際に、内視鏡２に外挿されて、内視鏡２の挿入を補助するために用いられる。このとき、オーバーチューブ７は、図４に示すように、被験者の口部１２から口腔部１３、咽頭部１４を介して食道１５に挿入される。
【０００３】
内視鏡２は、オーバーチューブ１１内に挿入されることにより食道１５内に案内され、さらに患部まで導入される。内視鏡２は、その先端部にＣＣＤケーブルを備え、患部をビデオカメラ部より観察することができるようになっている。また、内視鏡２の先端部には、患部を照明するライト、ＣＣＤケーブルを洗浄する送気・送水チャンネルが備えられている他、鉗子チャンネルが備えられている。内視鏡２は、前記鉗子チャンネルから各種鉗子を導入することにより、組織採取、異物摘出、止血、腫瘍摘出、胆石の破砕等を行うことができる。
【０００４】
さらに、内視鏡２では、ＥＳＤ（内視鏡的粘膜下層剥離術）、ＥＡＭ（内視鏡的吸引粘膜切除術）、ＥＶＬ（食道静脈瘤結紮術）等の治療を行うことができる。これらの治療の際には、内視鏡２の外周面とオーバーチューブ１１との間隙を利用して、内視鏡２の先端部にフード等のオプションが装着される。
【０００５】
しかしながら、前記オーバーチューブ１１では、内視鏡２を挿入する際に、内視鏡２の外周面との間隙に粘膜を巻き込み、被験者に不快感を与えたり、甚だしいときには粘膜に損傷を生じるという不都合がある。
【特許文献１】特開平８−２０６２２４号公報
【考案の開示】
【考案が解決しようとする課題】
【０００６】
本考案は、かかる不都合を解消して、内視鏡を挿入する際に粘膜を巻き込むことの無いオーバーチューブを提供することを目的とする。
【課題を解決するための手段】
【０００７】
かかる目的を達成するために、本考案は、内視鏡に外挿されて該内視鏡の挿入を補助するオーバーチューブにおいて、該内視鏡の外周面との間に所定の間隔を存して外挿される外筒管と、該外筒管と該内視鏡との間に挿入される内筒管とを備えることを特徴とする。
【０００８】
本考案によれば、前記外筒管と前記内視鏡との間に前記内筒管が備えられているので、該外筒管と該内視鏡の外周面との間隙が小さくなっており、粘膜を巻き込むことなく該内視鏡を挿入することができる。
【０００９】
本考案のオーバーチューブにおいて、前記内筒管は、前記外筒管と前記内視鏡との間に挿入されたときに、先端部が前記外筒管の先端部から突出することが好ましい。前記内筒管は、その先端部が前記外筒管の先端部から突出していることにより、前記内視鏡を挿入する際に前記粘膜の巻き込みを確実に防止することができる。
【００１０】
また、本考案のオーバーチューブにおいて、前記内筒管は軟質樹脂からなることが好ましい。本考案のオーバーチューブでは、前記内筒管の先端部が、前記外筒管の先端部から突出した状態で挿入されるので、該内筒管の先端部が咽頭部や食道壁に接触することになる。このとき、前記内筒管は前記軟質樹脂からなるので、咽頭部や食道壁に接触しても接触部に裂傷等を生じることなく挿入することができる。
【００１１】
また、本考案のオーバーチューブにおいて、前記外筒管は弓なりに湾曲していることが好ましい。前記外筒管は弓なりに湾曲していることにより、被験者の口部から食道へ、容易に挿入することができる。また、前記外筒管は弓なりに湾曲していることにより、前記内筒管が挿入されたときに、該内筒管を案内して湾曲した形状とすることができる。
【００１２】
さらに、本考案のオーバーチューブは、前記外筒管の前記内視鏡が挿入される側の端部に、脱気防止弁を着脱自在に備えることが好ましい。前記脱気防止弁によれば、前記外筒管の前記内視鏡が挿入される側の端部に装着されることにより、該内視鏡を介して送気された空気のリークを防止することができる。一方、前記脱気防止弁は、被験者が吐血した場合には、血液を排除する障害となる虞がある。しかし、本考案によれば、前記脱気防止弁は着脱自在となっているので、被験者が吐血した場合には前記外筒管から取り外すことにより被験者の血液の排除を容易に行うことができる。
【００１３】
前記脱気防止弁は、例えば、前記外筒管の前記内視鏡が挿入される側の端部に装着される円筒状の装着部材と、該装着部材の内側面を横断して取着された円錐状の弁体とを備え、該弁体は軟質樹脂からなり、中央部に該内視鏡が嵌挿される孔部を備える構成とすることができる。前記構成の脱気防止弁によれば、前記軟質樹脂からなる弁体が前記装着部材に支持されており、該弁体の中央部に備えられた孔部に前記内視鏡が嵌挿されると、該軟質樹脂からなる弁体が該内視鏡の外周面に密着し、気密性を保持することができる。
【００１４】
また、前記装着部材は外側面に環状突起を備え、前記外筒管は、前記内視鏡が挿入される側の端部の内側面に、該環状突起が係合される環状溝部を備えることが好ましい。このような構成によれば、前記装着部材の環状突起を前記外筒管の環状溝部に係合させ、あるいは係合を解除することにより、該外筒管に対して前記脱気弁を容易に着脱することができる。
【考案を実施するための最良の形態】
【００１５】
次に、添付の図面を参照しながら本考案の実施の形態についてさらに詳しく説明する。図１は本実施形態のオーバーチューブの一構成例を示す説明的断面図であり、図２は図１に示すオーバーチューブに装着して用いられる脱気防止弁の説明的断面図である。
【００１６】
図１に示すように、本実施形態のオーバーチューブ１は内視鏡２の外周面との間に所定の間隔３を存して外挿される外筒管４と、外筒管４と内視鏡２との間に挿入される内筒管２とを備える。オーバーチューブ１は、例えば消化器用の内視鏡２を被験者の体内に挿入する際に、被験者の口部から食道に挿入されて、内視鏡２の挿入を補助するために用いられる。
【００１７】
外筒管４はポリ塩化ビニル等の軟質樹脂からなり、内視鏡２が挿入される側の端部には、ＡＢＳ樹脂等の硬質樹脂からなるグリップ４ａが設けられている。一方、外筒管４のグリップ４ａと反対側の端部は斜めにカットされている。
【００１８】
また、外筒管４は、前記被験者の口部から食道への挿入を容易にするために弓なりに湾曲した形状を備えている。このため、外筒管４には、図１にＡ部を拡大して示すように、ステンレス製のワイヤ６が螺旋状に埋設されており、ワイヤ６により前記形状が保持されている。
【００１９】
内筒管５はポリ塩化ビニル等の軟質樹脂からなり、内視鏡２が挿入される側の端部には、ＡＢＳ樹脂等の硬質樹脂からなるグリップ５ａが設けられ、外筒管４の外方でグリップ４ａに重ね合わされるようになっている。一方、内筒管５のグリップ５ａと反対側の端部は斜めにカットされており、外筒管４の端部から突出するようにされている。
【００２０】
また、内筒管５は、ポリ塩化ビニル等の軟質樹脂のみからなり、ステンレス製ワイヤは埋設されていない。内筒管５は、直線状の形状を備えているが、前記湾曲した形状の外筒管４に挿入されることにより、外筒管４に案内されて湾曲した形状となる。
【００２１】
また、外筒管４のグリップ４ａには、図２に示す脱気防止弁７が着脱自在とされている。脱気防止弁７は、図２（ａ）に示すように、グリップ４ａに装着される円筒状の装着部材８と、装着部材８の後端部を成す鍔部８ａとを備え、鍔部８ａには装着部材８の内側面を横断する弁体９が、外周部を鍔部８ａに埋設させて取着されている。装着部材８は、ＡＢＳ樹脂等の硬質樹脂からなる。
【００２２】
一方、弁体９はシリコーンゴム等の軟質樹脂からなる円錐状体であり、中央部に内視鏡２が嵌挿される孔部１０を備えている。弁体９は、その尖端部をグリップ５ａ側に向けて装着されていることにより、内視鏡２を容易に嵌挿することができる。
【００２３】
また、脱気防止弁７は装着部材８の先端部の外周面に環状突起８ｂを備えており、グリップ４ａは内周面に環状突起８ｂが係合される環状溝部４ｂを備えている。この結果、脱気防止弁７は、装着部材８がグリップ４ａの端部に挿入されたときに、環状突起８ｂが環状溝部４ｂに係合されることにより、あるいは該係合が解除されることにより、グリップ４ａに着脱自在とされている。
【００２４】
尚、グリップ４ａ，５ａの端部は外周方向に広がる鍔状に形成され、オーバーチューブ１を操作するときに指掛け部として用いられる。
【００２５】
次に、オーバーチューブ１の操作について説明する。
【００２６】
オーバーチューブ１を用いるときは、まず、外筒管４に内筒管５を挿通し、内筒管５の先端部が、外筒管４の先端部から突出した状態とする。次いで、内筒管４に内視鏡２を挿通し、オーバーチューブ１が内視鏡２に沿って前後に円滑に摺動することを確認する。
【００２７】
次に、内筒管５の先端部から内視鏡２の先端アングル部が十分に突出した状態にする。そして、オーバーチューブ１を内視鏡２と共に、図４に示す従来のオーバーチューブ７の場合と同様に、被験者の口部１２から口腔部１３、咽頭部１４を介して食道１５に挿入し、さらに内視鏡画像を確認しながら内視鏡２のみを胃等の消化器内まで導入する。
【００２８】
前述のようにしてオーバーチューブ１を挿入するときには、外筒管４の先端部から突出した状態の内筒管５が咽頭部１４や食道１５の内壁に接触することになる。しかし、内筒管５はポリ塩化ビニル等の軟質樹脂のみからなるので、柔軟であり、接触部に裂傷等を生じることを防止することができる。
【００２９】
また、オーバーチューブ１は、外筒管４に内筒管５を挿通し、さらに内筒管４に内視鏡２を挿通した構成となっている。そこで、前記のように挿入するときに、まず内視鏡２を挿入し、次いで内筒管５を挿入し、最後に外筒管４を挿入するというように段階的に挿入することができる。この結果、咽頭部１４を徐々に拡げながら挿入することができ、被験者の負担を軽減することができる。
【００３０】
また、前記のように挿入するときには、外筒管４と内視鏡２との間には内筒管５が介在しており、しかも内筒管５の先端部が外筒管４の先端部から突出している。従って。粘膜が外筒管４と内視鏡２との間隙に巻き込まれることを確実に防止することができる。
【００３１】
次に、前記消化器内に導入した内視鏡２を用いて、治療または検査を行う。前記治療または検査は、外筒管４を留置したまま内筒管５と内視鏡２とを抜去し、次いで内視鏡２のみを外筒管４に出し入れすることにより行う。
【００３２】
内視鏡２としては、例えば、先端アングル部にＣＣＤケーブル、照明ライト、送気・送水チャンネル、鉗子チャンネル等を備えるものを用いることができる。このような内視鏡２によれば、前記鉗子チャンネルから各種鉗子を導入することにより、組織採取、異物摘出、止血、腫瘍摘出、胆石の破砕等を行うことができる。さらに、内視鏡２では、ＥＳＤ（内視鏡的粘膜下層剥離術）、ＥＡＭ（内視鏡的吸引粘膜切除術）、ＥＶＬ（食道静脈瘤結紮術）等の治療を行うことができる。
【００３３】
内視鏡２では、前記ＥＳＤ、ＥＡＭ、ＥＶＬ等の治療を行う際には、内視鏡２の先端部にフード等のオプションが装着される。この場合には、内視鏡２に前記フード等のオプションを装着して、外筒管４に挿通し前記消化器内に導入する。
【００３４】
また、内視鏡２の送気チャンネルにより腹腔内に空気を送り込み、腹腔を膨満させておくと、前記ＥＳＤ、ＥＡＭ、ＥＶＬ等の治療を容易に行うことができる。このとき、内視鏡２を介して送気された空気のリークを防止するために、外筒管４のグリップ４ａに脱気防止弁７を装着する。脱気防止弁７は、図２（ｂ）に示すように、装着部材８をグリップ４ａの端部に挿入し、環状突起８ｂを、外筒管４の環状溝部４ｂに係合することにより、グリップ４ａに装着される。
【００３５】
前記治療中に、被験者が吐血した場合には、腹腔から血液を排除する必要が生じる。この場合には、脱気防止弁７は、環状突起８ｂと環状溝部４ｂとの係合を解除することにより、容易にグリップ４ａから取り外すことができ、前記被験者の血液の排除を容易に行うことができる。
【００３６】
全ての治療または検査が終了したならば、外筒管４から内視鏡２を抜去した後、外筒管４を体外に抜去する。
【図面の簡単な説明】
【００３７】
【図１】本考案のオーバーチューブの一実施形態を示す説明的断面図。
【図２】図１に示すオーバーチューブに装着して用いられる脱気防止弁の説明的断面図。
【図３】従来のオーバーチューブの一形態を示す説明的断面図。
【図４】オーバーチューブの使用形態を示す説明的断面図。
【符号の説明】
【００３８】
１…オーバーチューブ、  ２…内視鏡、  ３…間隙、  ４…外筒管、  ５…内筒管、  ７…脱気防止弁。
【図１】
0003129543.tif 000003
【図２】
0003129543.tif 000004
【図３】
0003129543.tif 000005
【図４】
0003129543.tif 000006
【手続補正書】
【提出日】平成18年12月12日(2006.12.12)
【手続補正１】
【補正対象書類名】実用新案登録請求の範囲
【補正対象項目名】全文
【補正方法】変更
【補正の内容】
【実用新案登録請求の範囲】
【請求項１】
内視鏡が内側に挿入されて該内視鏡の挿入を補助するオーバーチューブにおいて、内側に挿入された該内視鏡の外周面との間に所定の間隔を存する外筒管と、該外筒管と該内視鏡との間に挿入される内筒管とを備えることを特徴とするオーバーチューブ。
【請求項２】
請求項１記載のオーバーチューブにおいて、前記内筒管は、前記外筒管と前記内視鏡との間に挿入されたときに、先端部が前記外筒管の先端部から突出することを特徴とするオーバーチューブ。
【請求項３】
請求項１または請求項２記載のオーバーチューブにおいて、前記内筒管は軟質樹脂からなることを特徴とするオーバーチューブ。
【請求項４】
請求項１乃至請求項３のいずれか１項記載のオーバーチューブにおいて、前記外筒管は弓なりに湾曲していることを特徴とするオーバーチューブ。
【請求項５】
請求項１乃至請求項４のいずれか１項記載のオーバーチューブにおいて、前記外筒管の前記内視鏡が挿入される側の端部に、脱気防止弁を着脱自在に備えることを特徴とするオーバーチューブ。
【請求項６】
請求項５記載のオーバーチューブにおいて、前記脱気防止弁は、前記外筒管の前記内視鏡が挿入される側の端部に装着される円筒状の装着部材と、該装着部材の内側面を横断して取着された円錐状の弁体とを備え、該弁体は軟質樹脂からなり、中央部に該内視鏡が嵌挿される孔部を備えることを特徴とするオーバーチューブ。
【請求項７】
請求項６記載のオーバーチューブにおいて、前記装着部材は外側面に環状突起を備え、前記外筒管は、前記内視鏡が挿入される側の端部の内側面に、該環状突起が係合される環状溝部を備えることを特徴とするオーバーチューブ。
【手続補正２】
【補正対象書類名】明細書
【補正対象項目名】全文
【補正方法】変更
【補正の内容】
【考案の詳細な説明】
【技術分野】
【０００１】
本考案は、消化器内視鏡等の内視鏡を被験者の体内に挿入する際に、該内視鏡が内側に挿入されて、該内視鏡の挿入を補助するオーバーチューブに関するものである。
【背景技術】
【０００２】
従来、例えば図３に示すように、内側に挿入された内視鏡２の外周面との間に所定の間隔３を存するオーバーチューブ１１が知られている（例えば特許文献１参照）。オーバーチューブ１１は、胃、小腸、十二指腸等の消化器に用いられる内視鏡２を、例えば、被験者の口部に装着されたマウスピースを介して、食道から消化器に挿入する際に、内視鏡２が内側に挿入されて、内視鏡２の挿入を補助するために用いられる。このとき、オーバーチューブ７は、図４に示すように、被験者の口部１２から口腔部１３、咽頭部１４を介して食道１５に挿入される。
【０００３】
内視鏡２は、オーバーチューブ１１内に挿入されることにより食道１５内に案内され、さらに患部まで導入される。内視鏡２は、その先端部にＣＣＤケーブルを備え、患部をビデオカメラ部より観察することができるようになっている。また、内視鏡２の先端部には、患部を照明するライト、ＣＣＤケーブルを洗浄する送気・送水チャンネルが備えられている他、鉗子チャンネルが備えられている。内視鏡２は、前記鉗子チャンネルから各種鉗子を導入することにより、組織採取、異物摘出、止血、腫瘍摘出、胆石の破砕等を行うことができる。
【０００４】
さらに、内視鏡２では、ＥＳＤ（内視鏡的粘膜下層剥離術）、ＥＡＭ（内視鏡的吸引粘膜切除術）、ＥＶＬ（食道静脈瘤結紮術）等の治療を行うことができる。これらの治療の際には、内視鏡２の外周面とオーバーチューブ１１との間隙を利用して、内視鏡２の先端部にフード等のオプションが装着される。
【０００５】
しかしながら、前記オーバーチューブ１１では、内視鏡２を挿入する際に、内視鏡２の外周面との間隙に粘膜を巻き込み、被験者に不快感を与えたり、甚だしいときには粘膜に損傷を生じるという不都合がある。
【特許文献１】特開平８−２０６２２４号公報
【考案の開示】
【考案が解決しようとする課題】
【０００６】
本考案は、かかる不都合を解消して、内視鏡を挿入する際に粘膜を巻き込むことの無いオーバーチューブを提供することを目的とする。
【課題を解決するための手段】
【０００７】
かかる目的を達成するために、本考案は、内視鏡が内側に挿入されて、該内視鏡の挿入を補助するオーバーチューブにおいて、内側に挿入された該内視鏡の外周面との間に所定の間隔を存する外筒管と、該外筒管と該内視鏡との間に挿入される内筒管とを備えることを特徴とする。
【０００８】
本考案によれば、前記外筒管と前記内視鏡との間に前記内筒管が備えられているので、該外筒管と該内視鏡の外周面との間隙が小さくなっており、粘膜を巻き込むことなく該内視鏡を挿入することができる。
【０００９】
本考案のオーバーチューブにおいて、前記内筒管は、前記外筒管と前記内視鏡との間に挿入されたときに、先端部が前記外筒管の先端部から突出することが好ましい。前記内筒管は、その先端部が前記外筒管の先端部から突出していることにより、前記内視鏡を挿入する際に前記粘膜の巻き込みを確実に防止することができる。
【００１０】
また、本考案のオーバーチューブにおいて、前記内筒管は軟質樹脂からなることが好ましい。本考案のオーバーチューブでは、前記内筒管の先端部が、前記外筒管の先端部から突出した状態で挿入されるので、該内筒管の先端部が咽頭部や食道壁に接触することになる。このとき、前記内筒管は前記軟質樹脂からなるので、咽頭部や食道壁に接触しても接触部に裂傷等を生じることなく挿入することができる。
【００１１】
また、本考案のオーバーチューブにおいて、前記外筒管は弓なりに湾曲していることが好ましい。前記外筒管は弓なりに湾曲していることにより、被験者の口部から食道へ、容易に挿入することができる。また、前記外筒管は弓なりに湾曲していることにより、前記内筒管が挿入されたときに、該内筒管を案内して湾曲した形状とすることができる。
【００１２】
さらに、本考案のオーバーチューブは、前記外筒管の前記内視鏡が挿入される側の端部に、脱気防止弁を着脱自在に備えることが好ましい。前記脱気防止弁によれば、前記外筒管の前記内視鏡が挿入される側の端部に装着されることにより、該内視鏡を介して送気された空気のリークを防止することができる。一方、前記脱気防止弁は、被験者が吐血した場合には、血液を排除する障害となる虞がある。しかし、本考案によれば、前記脱気防止弁は着脱自在となっているので、被験者が吐血した場合には前記外筒管から取り外すことにより被験者の血液の排除を容易に行うことができる。
【００１３】
前記脱気防止弁は、例えば、前記外筒管の前記内視鏡が挿入される側の端部に装着される円筒状の装着部材と、該装着部材の内側面を横断して取着された円錐状の弁体とを備え、該弁体は軟質樹脂からなり、中央部に該内視鏡が嵌挿される孔部を備える構成とすることができる。前記構成の脱気防止弁によれば、前記軟質樹脂からなる弁体が前記装着部材に支持されており、該弁体の中央部に備えられた孔部に前記内視鏡が嵌挿されると、該軟質樹脂からなる弁体が該内視鏡の外周面に密着し、気密性を保持することができる。
【００１４】
また、前記装着部材は外側面に環状突起を備え、前記外筒管は、前記内視鏡が挿入される側の端部の内側面に、該環状突起が係合される環状溝部を備えることが好ましい。このような構成によれば、前記装着部材の環状突起を前記外筒管の環状溝部に係合させ、あるいは係合を解除することにより、該外筒管に対して前記脱気弁を容易に着脱することができる。
【考案を実施するための最良の形態】
【００１５】
次に、添付の図面を参照しながら本考案の実施の形態についてさらに詳しく説明する。図１は本実施形態のオーバーチューブの一構成例を示す説明的断面図であり、図２は図１に示すオーバーチューブに装着して用いられる脱気防止弁の説明的断面図である。
【００１６】
図１に示すように、本実施形態のオーバーチューブ１は、内側に挿入された内視鏡２の外周面との間に所定の間隔３を存する外筒管４と、外筒管４と内視鏡２との間に挿入される内筒管２とを備える。オーバーチューブ１は、例えば消化器用の内視鏡２を被験者の体内に挿入する際に、被験者の口部から食道に挿入されて、内視鏡２の挿入を補助するために用いられる。
【００１７】
外筒管４はポリ塩化ビニル等の軟質樹脂からなり、内視鏡２が挿入される側の端部には、ＡＢＳ樹脂等の硬質樹脂からなるグリップ４ａが設けられている。一方、外筒管４のグリップ４ａと反対側の端部は斜めにカットされている。
【００１８】
また、外筒管４は、前記被験者の口部から食道への挿入を容易にするために弓なりに湾曲した形状を備えている。このため、外筒管４には、図１にＡ部を拡大して示すように、ステンレス製のワイヤ６が螺旋状に埋設されており、ワイヤ６により前記形状が保持されている。
【００１９】
内筒管５はポリ塩化ビニル等の軟質樹脂からなり、内視鏡２が挿入される側の端部には、ＡＢＳ樹脂等の硬質樹脂からなるグリップ５ａが設けられ、外筒管４の外方でグリップ４ａに重ね合わされるようになっている。一方、内筒管５のグリップ５ａと反対側の端部は斜めにカットされており、外筒管４の端部から突出するようにされている。
【００２０】
また、内筒管５は、ポリ塩化ビニル等の軟質樹脂のみからなり、ステンレス製ワイヤは埋設されていない。内筒管５は、直線状の形状を備えているが、前記湾曲した形状の外筒管４に挿入されることにより、外筒管４に案内されて湾曲した形状となる。
【００２１】
また、外筒管４のグリップ４ａには、図２に示す脱気防止弁７が着脱自在とされている。脱気防止弁７は、図２（ａ）に示すように、グリップ４ａに装着される円筒状の装着部材８と、装着部材８の後端部を成す鍔部８ａとを備え、鍔部８ａには装着部材８の内側面を横断する弁体９が、外周部を鍔部８ａに埋設させて取着されている。装着部材８は、ＡＢＳ樹脂等の硬質樹脂からなる。
【００２２】
一方、弁体９はシリコーンゴム等の軟質樹脂からなる円錐状体であり、中央部に内視鏡２が嵌挿される孔部１０を備えている。弁体９は、その尖端部をグリップ５ａ側に向けて装着されていることにより、内視鏡２を容易に嵌挿することができる。
【００２３】
また、脱気防止弁７は装着部材８の先端部の外周面に環状突起８ｂを備えており、グリップ４ａは内周面に環状突起８ｂが係合される環状溝部４ｂを備えている。この結果、脱気防止弁７は、装着部材８がグリップ４ａの端部に挿入されたときに、環状突起８ｂが環状溝部４ｂに係合されることにより、あるいは該係合が解除されることにより、グリップ４ａに着脱自在とされている。
【００２４】
尚、グリップ４ａ，５ａの端部は外周方向に広がる鍔状に形成され、オーバーチューブ１を操作するときに指掛け部として用いられる。
【００２５】
次に、オーバーチューブ１の操作について説明する。
【００２６】
オーバーチューブ１を用いるときは、まず、外筒管４に内筒管５を挿通し、内筒管５の先端部が、外筒管４の先端部から突出した状態とする。次いで、内筒管４に内視鏡２を挿通し、オーバーチューブ１が内視鏡２に沿って前後に円滑に摺動することを確認する。
【００２７】
次に、内筒管５の先端部から内視鏡２の先端アングル部が十分に突出した状態にする。そして、オーバーチューブ１を内視鏡２と共に、図４に示す従来のオーバーチューブ７の場合と同様に、被験者の口部１２から口腔部１３、咽頭部１４を介して食道１５に挿入し、さらに内視鏡画像を確認しながら内視鏡２のみを胃等の消化器内まで導入する。
【００２８】
前述のようにしてオーバーチューブ１を挿入するときには、外筒管４の先端部から突出した状態の内筒管５が咽頭部１４や食道１５の内壁に接触することになる。しかし、内筒管５はポリ塩化ビニル等の軟質樹脂のみからなるので、柔軟であり、接触部に裂傷等を生じることを防止することができる。
【００２９】
また、オーバーチューブ１は、外筒管４に内筒管５を挿通し、さらに内筒管４に内視鏡２を挿通した構成となっている。そこで、前記のように挿入するときに、まず内視鏡２を挿入し、次いで内筒管５を挿入し、最後に外筒管４を挿入するというように段階的に挿入することができる。この結果、咽頭部１４を徐々に拡げながら挿入することができ、被験者の負担を軽減することができる。
【００３０】
また、前記のように挿入するときには、外筒管４と内視鏡２との間には内筒管５が介在しており、しかも内筒管５の先端部が外筒管４の先端部から突出している。従って。粘膜が外筒管４と内視鏡２との間隙に巻き込まれることを確実に防止することができる。
【００３１】
次に、前記消化器内に導入した内視鏡２を用いて、治療または検査を行う。前記治療または検査は、外筒管４を留置したまま内筒管５と内視鏡２とを抜去し、次いで内視鏡２のみを外筒管４に出し入れすることにより行う。
【００３２】
内視鏡２としては、例えば、先端アングル部にＣＣＤケーブル、照明ライト、送気・送水チャンネル、鉗子チャンネル等を備えるものを用いることができる。このような内視鏡２によれば、前記鉗子チャンネルから各種鉗子を導入することにより、組織採取、異物摘出、止血、腫瘍摘出、胆石の破砕等を行うことができる。さらに、内視鏡２では、ＥＳＤ（内視鏡的粘膜下層剥離術）、ＥＡＭ（内視鏡的吸引粘膜切除術）、ＥＶＬ（食道静脈瘤結紮術）等の治療を行うことができる。
【００３３】
内視鏡２では、前記ＥＳＤ、ＥＡＭ、ＥＶＬ等の治療を行う際には、内視鏡２の先端部にフード等のオプションが装着される。この場合には、内視鏡２に前記フード等のオプションを装着して、外筒管４に挿通し前記消化器内に導入する。
【００３４】
また、内視鏡２の送気チャンネルにより腹腔内に空気を送り込み、腹腔を膨満させておくと、前記ＥＳＤ、ＥＡＭ、ＥＶＬ等の治療を容易に行うことができる。このとき、内視鏡２を介して送気された空気のリークを防止するために、外筒管４のグリップ４ａに脱気防止弁７を装着する。脱気防止弁７は、図２（ｂ）に示すように、装着部材８をグリップ４ａの端部に挿入し、環状突起８ｂを、外筒管４の環状溝部４ｂに係合することにより、グリップ４ａに装着される。
【００３５】
前記治療中に、被験者が吐血した場合には、腹腔から血液を排除する必要が生じる。この場合には、脱気防止弁７は、環状突起８ｂと環状溝部４ｂとの係合を解除することにより、容易にグリップ４ａから取り外すことができ、前記被験者の血液の排除を容易に行うことができる。
【００３６】
全ての治療または検査が終了したならば、外筒管４から内視鏡２を抜去した後、外筒管４を体外に抜去する。
【図面の簡単な説明】
【００３７】
【図１】本考案のオーバーチューブの一実施形態を示す説明的断面図。
【図２】図１に示すオーバーチューブに装着して用いられる脱気防止弁の説明的断面図。
【図３】従来のオーバーチューブの一形態を示す説明的断面図。
【図４】オーバーチューブの使用形態を示す説明的断面図。
【符号の説明】
【００３８】
１…オーバーチューブ、  ２…内視鏡、  ３…間隙、  ４…外筒管、  ５…内筒管、  ７…脱気防止弁。